(57)【要約】【課題】  発電装置に掲載される広告についての広告料が支払われた場合に、メンテナンスを行うことを通知する広告サービス方法及びシステムを提供する。【解決手段】  制御装置により、発電装置のメンテナンスが必要であるか否かついて判定し（ステップＳ１１）、メンテナンスが必要であると判定した場合に、発電装置の識別情報をコンピュータに対して送信する（ステップＳ１３）。また、コンピュータにより、広告の広告料の入金情報と、広告が掲載されている発電装置の識別情報とを対応付けて記憶し（ステップＳ２２）、発電装置の識別情報を受信し（ステップＳ２３）、発電装置の識別情報に対応する入金情報を、識別情報及び入金情報を参照することによって、広告料の入金がされているか否かについて判定し（ステップＳ２５）、その判定結果を通知する（ステップＳ２７）。【選択図】  図４
2006349806.tif 000002
【特許請求の範囲】
【請求項１】
コンピュータと、制御装置を備えるとともに広告が掲載された発電装置とを利用した広告サービス方法であって、
前記発電装置のメンテナンスが必要であるか否かついて前記制御装置により判定する第１のステップと、
前記第１のステップで前記発電装置のメンテナンスが必要であると判定した場合に、前記発電装置の識別情報を前記制御装置により前記コンピュータに対して送信する第２のステップと、
前記広告の広告料の入金情報と、前記広告が掲載されている発電装置の識別情報とを対応付けて前記コンピュータにより記憶する第３のステップと、
前記第２のステップで送信した発電装置の識別情報を前記コンピュータにより受信する第４のステップと、
前記第４のステップで受信した発電装置の識別情報に対応する入金情報を、前記第３のステップで記憶した識別情報及び入金情報を参照することによって、広告料の入金がされているか否かについて前記コンピュータにより判定する第５のステップと、
前記第５のステップの判定結果を前記コンピュータにより通知する第６のステップと、
を有することを特徴とする広告サービス方法。
【請求項２】
前記発電装置は、発電した電力を蓄電する蓄電手段を更に有し、
前記第１のステップは、前記蓄電手段のメンテナンスが必要であるか否かについて判定し、
前記第２のステップは、前記第１のステップで前記蓄電手段のメンテナンスが必要であると判定した場合に、前記発電装置の識別情報を前記コンピュータに対して送信することを特徴とする請求項１に記載の広告サービス方法。
【請求項３】
前記発電装置は、風力により羽根を回転させて発電する風力発電装置であり、
前記広告は、前記風力発電装置の羽根の部分に掲載されることを特徴とする請求項１又は２に記載の広告サービス方法。
【請求項４】
前記第５のステップで広告料の入金がされていると判定した場合に、前記蓄電手段のメンテナンスを行う第７のステップを更に有することを特徴とする請求項２又は３のいずれかの項に記載の広告サービス方法。
【請求項５】
前記発電装置に設けられる電力消費手段により、前記発電装置によって発電した電力を利用して仕事を行う第８のステップを更に有することを特徴とする請求項１〜４のいずれかの項に記載の広告サービス方法。
【請求項６】
コンピュータと、制御装置を備えるとともに広告が掲載された発電装置とを有する広告サービスシステムであって、
前記制御装置は、
前記発電装置のメンテナンスが必要であるか否かついて判定する第１の判定手段と、
前記第１の判定手段によって前記発電装置のメンテナンスが必要であると判定した場合に、前記発電装置の識別情報を前記コンピュータに対して送信する送信手段とを有し、
前記コンピュータは、
前記広告の広告料の入金情報と、前記広告が掲載されている発電装置の識別情報とを対応付けて記憶する記憶手段と、
前記送信手段から送信された発電装置の識別情報を受信する受信手段と、
前記受信手段が受信した発電装置の識別情報に対応する入金情報を前記記憶手段を参照することにより、広告料の入金がされているか否かについて判定する第２の判定手段と、
前記第２の判定手段の判定結果を通知する通知手段と、
を有することを特徴とする広告サービスシステム。
【請求項７】
前記発電装置は、発電した電力を蓄電する蓄電手段を更に有し、
前記第１の判定手段は、前記蓄電手段のメンテナンスが必要であるか否かについて判定し、
前記送信手段は、前記第１の判定手段によって前記蓄電手段のメンテナンスが必要であると判定した場合に、前記発電装置の識別情報を前記コンピュータに対して送信することを特徴とする請求項６に記載の広告サービスシステム。
【請求項８】
前記発電装置は、風力により羽根を回転させて発電する風力発電装置であり、
前記広告は、前記風力発電装置の羽根の部分に掲載されることを特徴とする請求項６又は７に記載の広告サービスシステム。
【請求項９】
前記第２の判定手段により、広告料の入金がされていると判定した場合に、前記蓄電手段のメンテナンスを行うことを特徴とする請求項７又は８に記載の広告サービスシステム。
【請求項１０】
前記発電装置は、発電する電力を利用して仕事を行う電力消費手段を更に有することを特徴とする請求項６〜９のいずれかの項に記載の広告サービスシステム。
【発明の詳細な説明】
【技術分野】
【０００１】
本発明は、街頭などに設置される発電装置等に広告を掲載することにより、広告料を徴収する広告サービス方法及びシステムに関する。
【背景技術】
【０００２】
従来から、太陽光発電や風力発電により得られる電力を、照明灯の電力として使用するハイブリッド型照明柱についての技術が知られている。このハイブリッド型照明柱は、外部からの電力の供給が必要なく、エコロジ対策として有用な装置である。また、このハイブリッド型照明柱は、街頭でのモニュメントとしての宣伝効果を有する。このため、企業等により、ハイブリッド型照明柱を設置することによって、企業等のイメージを向上させることができるものと期待されている。
【発明の開示】
【発明が解決しようとする課題】
【０００３】
しかしながら、従来から使用されていたハイブリッド型照明柱では、外部から電力を供給する必要がないため電気代は不要であったが、そのハイブリッド型照明柱が備える風力発電装置や、鉛蓄電池などのメンテナンスが必要であった。このため、メンテナンス料を調達できない場合には、ハイブリッド型照明柱がメンテナンスが行われずに放置される可能性があるという問題があった。
【０００４】
本発明は、上記事情を考慮してなされたもので、その目的は、発電装置に掲載される広告についての広告料が支払われた場合に、メンテナンスを行うことを通知する広告サービス方法及びシステムを提供することにある。
【課題を解決するための手段】
【０００５】
本発明は、上記課題を解決するためになされたもので、請求項１に記載の発明は、コンピュータと、制御装置を備えるとともに広告が掲載された発電装置とを利用した広告サービス方法であって、前記発電装置のメンテナンスが必要であるか否かついて前記制御装置により判定する第１のステップと、前記第１のステップで前記発電装置のメンテナンスが必要であると判定した場合に、前記発電装置の識別情報を前記制御装置により前記コンピュータに対して送信する第２のステップと、前記広告の広告料の入金情報と、前記広告が掲載されている発電装置の識別情報とを対応付けて前記コンピュータにより記憶する第３のステップと、前記第２のステップで送信した発電装置の識別情報を前記コンピュータにより受信する第４のステップと、前記第４のステップで受信した発電装置の識別情報に対応する入金情報を、前記第３のステップで記憶した識別情報及び入金情報を参照することによって、広告料の入金がされているか否かについて前記コンピュータにより判定する第５のステップと、前記第５のステップの判定結果を前記コンピュータにより通知する第６のステップとを有することを特徴とする広告サービス方法である。
【０００６】
また、請求項２に記載の発明は、前記発電装置は、発電した電力を蓄電する蓄電手段を更に有し、前記第１のステップは、前記蓄電手段のメンテナンスが必要であるか否かについて判定し、前記第２のステップは、前記第１のステップで前記蓄電手段のメンテナンスが必要であると判定した場合に、前記発電装置の識別情報を前記コンピュータに対して送信することを特徴とする請求項１に記載の広告サービス方法である。
【０００７】
また、請求項３に記載の発明は、前記発電装置は、風力により羽根を回転させて発電する風力発電装置であり、前記広告は、前記風力発電装置の羽根の部分に掲載されることを特徴とする請求項１又は２に記載の広告サービス方法である。
【０００８】
また、請求項４に記載の発明は、前記第５のステップで広告料の入金がされていると判定した場合に、前記蓄電手段のメンテナンスを行う第７のステップを更に有することを特徴とする請求項２又は３のいずれかの項に記載の広告サービス方法である。
【０００９】
また、請求項５に記載の発明は、前記発電装置に設けられる電力消費手段により、前記発電装置によって発電した電力を利用して仕事を行う第８のステップを更に有することを特徴とする請求項１〜４のいずれかの項に記載の広告サービス方法である。
【００１０】
また、請求項６に記載の発明は、コンピュータと、制御装置を備えるとともに広告が掲載された発電装置とを有する広告サービスシステムであって、前記制御装置は、前記発電装置のメンテナンスが必要であるか否かついて判定する第１の判定手段と、前記第１の判定手段によって前記発電装置のメンテナンスが必要であると判定した場合に、前記発電装置の識別情報を前記コンピュータに対して送信する送信手段とを有し、前記コンピュータは、前記広告の広告料の入金情報と、前記広告が掲載されている発電装置の識別情報とを対応付けて記憶する記憶手段と、前記送信手段から送信された発電装置の識別情報を受信する受信手段と、前記受信手段が受信した発電装置の識別情報に対応する入金情報を前記記憶手段を参照することにより、広告料の入金がされているか否かについて判定する第２の判定手段と、前記第２の判定手段の判定結果を通知する通知手段とを有することを特徴とする広告サービスシステムである。
【００１１】
また、請求項７に記載の発明は、前記発電装置は、発電した電力を蓄電する蓄電手段を更に有し、前記第１の判定手段は、前記蓄電手段のメンテナンスが必要であるか否かについて判定し、前記送信手段は、前記第１の判定手段によって前記蓄電手段のメンテナンスが必要であると判定した場合に、前記発電装置の識別情報を前記コンピュータに対して送信することを特徴とする請求項６に記載の広告サービスシステムである。
【００１２】
また、請求項８に記載の発明は、前記発電装置は、風力により羽根を回転させて発電する風力発電装置を備え、前記広告は、前記風力発電装置の羽根の部分に掲載されることを特徴とする請求項６又は７に記載の広告サービスシステムである。
【００１３】
また、請求項９に記載の発明は、前記第２の判定手段により、広告料の入金がされていると判定した場合に、前記蓄電手段のメンテナンスを行うことを特徴とする請求項７又は８に記載の広告サービスシステムである。
【００１４】
また、請求項１０に記載の発明は、前記発電装置は、発電する電力を利用して仕事を行う電力消費手段を更に有することを特徴とする請求項６〜９のいずれかの項に記載の広告サービスシステムである。
【発明の効果】
【００１５】
本発明では、発電装置に掲載される広告の広告料をコンピュータで管理し、発電装置にメンテナンスが必要となった場合には、コンピュータにその発電装置の識別情報を送信して、発電装置のメンテナンスが必要であることを通知するようにした。
これにより、発電装置に会社名等の広告を掲載し、その会社等から広告料を徴収することにより、その広告料によって発電装置のメンテナンスを行うことができるため、発電装置のメンテナンスが行われずに長期間放置されることを防ぐことが可能となる。
【発明を実施するための最良の形態】
【００１６】
以下、図面を参照し、本発明の実施形態による広告サービスシステムについて説明する。広告サービスシステムは、風力発電装置とコンピュータにより構成される。
図１は、本発明の第１の実施形態による広告サービスシステムの風力発電装置１０ａの構成を示す外観図である。広告サービスシステムのコンピュータの構成については後述する。風力発電装置１０ａは、サボニウス型風車１１、太陽光発電パネル１２ａ、鉛蓄電池ボックス１３ａ、照明灯１４ａを有する。また、風力発電装置１０ａは制御装置（図示省略）を有する。この制御装置については後述する。
【００１７】
風力発電装置１０ａは、街頭等の屋外の地面に垂直に設置される。サボニウス型風車とは、縦方向に半分に切断した円筒を円周方向にずらした形状の羽根を取り付けた風車をいう。風力発電装置１０ａの基柱の最上部には、太陽光発電パネル１２ａが設置されている。太陽光発電手段１２ａの下には、サボニウス型風車１１が設置されている。また、サボニウス型風車１１の下には、照明灯１４ａが設置されている。風力発電装置１０ａの基柱の最下部には、鉛蓄電池ボックス１３ａが設置されている。
サボニウス型風車１１は、風を受けると回転する風車を備えている。この風車は地面に垂直な軸を回転軸として回転できるようになっている。この羽根の部分に風が当たることにより、羽根が回転軸の周りを回転する。サボニウス型風車１１は、羽根が回転する際に生じる運動エネルギを電気エネルギに変換することにより発電する。サボニウス型風車１１により得られる電力は、鉛蓄電池ボックス１３ａへ送られる。
【００１８】
図２は、本実施形態によるサボニウス型風車１１の羽根の部分の拡大図である。本実施形態によるサボニウス型風車１１の羽根１５ａの部分には、広告掲載領域１６ａが確保されている。広告掲載領域１６ａには、例えば、会社名、会社の商標、会社の広告等が掲載される。広告掲載領域１６ａに掲載される広告としては、羽根の回転が静止している場合に人間が認識できるような文字や図等を記載するようにしても良いし、羽根が回転している場合に人間が広告を認識できるような模様等を記載するようにしてもよい。
【００１９】
図１に戻り、太陽光発電パネル１２ａは、太陽光を利用して発電を行う装置である。この太陽光発電パネル１２ａは、長方形で平板状の形状をしており、太陽光等の光が照射されると、光エネルギを電気エネルギへ変換することにより発電する。太陽光発電パネル１２ａによる発電は、風がなく風力発電装置１０ａによる発電ができない場合に代用的に利用され、風が吹いていなくても日光があれば電力を得ることができる。太陽光発電パネル１２ａにより得られる電力は、鉛蓄電池ボックス１３ａへ送られる。
鉛蓄電池ボックス１３ａは、電力を蓄電する装置である。鉛蓄電池ボックス１３ａは、サボニウス型風車１１と太陽光発電パネル１２ａから供給される電力を蓄電する。鉛蓄電池ボックス１３ａに蓄電されている電力は、照明灯１４ａに供給される。照明灯１４ａは、鉛蓄電池ボックス１３ａから供給される電力を利用して照明を点灯する。
【００２０】
本実施形態による風力発電装置１０ａでは、サボニウス型風車１１の羽根の広告掲載領域１６ａに社名等の広告を掲載するようにした。よって、広告掲載領域１６ａに社名等を掲載する会社から広告料を徴収することにより、その広告料を鉛蓄電池ボックス１３ａのメンテナンスや取り替え等の費用として利用することによって、風力発電装置１０ａが長期間メンテナンスや、照明灯１４ａの電球の取り替えが行われずに放置されることを防止することができる。
【００２１】
図３は、本実施形態による広告サービスシステムのコンピュータ３と、風力発電装置１０ａに設置される制御装置２の構成を示すブロック図である。制御装置２は、判定手段２１、識別情報記憶手段２２、送信手段２３を有する。また、コンピュータ３は、ＰＣ（Personal Computer）などの機器であり、入力手段３１、記憶手段３２、受信手段３３、判定手段３４、通知手段３５を有する。
判定手段２１は、風力発電装置１０ａのメンテナンスが必要であるか否かについて判定する。ここでは、判定手段２１によって鉛蓄電池ボックス１３ａの耐用期間が経過しているか否か、性能が所定の基準よりも劣化しているか否かについて判定する場合について説明する。
識別情報記憶手段２２は、制御装置２が設置される風力発電装置１０ａの識別情報を記憶する。送信手段２３は、判定手段２１からの指示を受けて、識別情報記憶手段２２から風力発電装置１０ａの識別情報を読み出し、有線又は無線によりコンピュータへ送信する。
【００２２】
入力手段３１は、キーボードなどの入力装置により構成され、風力発電装置の識別情報と、その風力発電装置のサボニウス型風車１１の羽根の部分に掲載されている広告の広告料が広告主により支払われているか否かについての入金情報を取得する。記憶手段３２は、入力手段３１が取得した風力発電装置の識別情報と、入金情報とを対応付けて記憶する。
受信手段３３は、制御装置２の送信手段２３から送信される風力発電装置１０ａの識別情報を受信する。判定手段３４は、受信手段３３が受信した風力発電装置１０ａの識別情報に対応する入金情報を記憶手段３２から読み出せるか否かについて判定を行う。通知手段３５は、判定手段３４による判定結果を、映像情報としてディスプレイに表示したり、音声情報としてスピーカから出力したりする。
【００２３】
図４は、本実施形態による広告サービスシステムによる処理の流れを示すシーケンス図である。制御手段２の判定手段２１は、鉛蓄電池ボックス１３ａの耐用期間が経過しているか否か、性能が所定の基準よりも劣化しているか否かについてについて監視することにより（ステップＳ１１）、鉛蓄電池ボックス１３ａのメンテナンスを行うことが必要であるか否かについて判定する（ステップＳ１２）。鉛蓄電池ボックス１３ａのメンテナンスのメンテナンスが必要ではない場合には、ステップＳ１２で「Ｎｏ」と判定し、ステップＳ１１へ進む。一方、鉛蓄電池ボックス１３ａのメンテナンスのメンテナンスが必要である場合には、ステップＳ１２で「Ｙｅｓ」と判定し、識別情報記憶手段２２から風力発電装置１０ａの識別情報を読み出して、有線又は無線によりコンピュータ３に対して送信する（ステップＳ１３）。
【００２４】
コンピュータ３は、本実施形態による広告サービスシステムの入力手段３１から、管理者の操作などによって、風力発電装置１０ａの識別情報と、風力発電装置１０ａのサボニウス型風車１１の羽根に掲載されている広告の広告料が広告主により支払われているか否かについての入金情報を取得し（ステップＳ２１）、その識別情報と入金情報とを対応付けて記憶手段３２に記憶させる（ステップＳ２２）。
コンピュータ３の受信手段３３は、制御装置２の送信手段２３から風力発電装置１０ａの識別情報を受信すると（ステップＳ２３）、その識別情報に対応する入金情報を記憶手段３２を参照することにより読み出す（ステップＳ２４）。そして、その入金情報に基づいて、風力発電装置１０ａのサボニウス型風車１１の羽根に広告を掲載している広告主から広告料が支払われたか否かについて判定する（ステップＳ２５）。
【００２５】
広告主から広告料が支払われている場合には、ステップＳ２５で「Ｙｅｓ」と判定し、ディスプレイやスピーカなどの通知手段３５から、映像情報や音声情報により鉛蓄電池ボックス１３ａのメンテナンスが必要である旨のメッセージ等を出力する（ステップＳ２６）。このメッセージを試聴した広告サービスシステムの管理者等は、識別情報で特定される風力発電装置１０ａの鉛蓄電池ボックス１３ａを修理したり交換したりすることによって、鉛蓄電池ボックス１３ａのメンテナンスを行う。
一方、広告主から広告料が支払われていない場合には、ステップＳ２５で「Ｎｏ」と判定し、通知手段３５から、映像情報や音声情報により広告主から広告料が支払われていない旨のメッセージ等を出力する（ステップＳ２７）。このメッセージを試聴した広告サービスシステムの管理者等は、広告主に広告を継続するかを当該システムからＦＡＸやメール等により問い合わせを行い、継続する場合には、広告主に対して広告料の支払いを請求する。
【００２６】
上述した広告サービスシステムでは、広告掲載領域１６ａに掲載する広告の広告料を、鉛蓄電池ボックス１３ａのメンテナンスや取り替え等に必要な費用とすることにより、風力発電装置１０ａのランニングコストを抑えることができる。また、この風力発電装置１０ａは、外部からの電力の供給が不用であり、商用電源を使用しなくてもよいため、導入を促進することによって、地球温暖化防止に寄与することができる。
【００２７】
次に、本発明の第２の実施形態による広告サービスシステムについて説明する。
図５は、本発明の第２の実施形態による広告サービスシステムの風力発電装置１０ｂの構成を示す外観図である。第１の実施形態による広告サービスシステムではサボニウス型風車１１を備えた風力発電装置１０ａを使用していたのに対して、本実施形態による広告サービスシステムではジャイロミル型風車２１を備えた風力発電装置１０ｂを使用している。それ以外の構成については、第１の実施形態による広告サービスシステムと同じであるので、その説明を省略する。
【００２８】
風力発電装置１０ｂは、ジャイロミル型風車１７、太陽光発電パネル１２ｂ、１２ｃ、鉛蓄電池ボックス１３ｂ、照明灯１４ｂを有する。この風力発電装置１０ｂは、街頭等の屋外の地面に垂直に設置される。ジャイロミル型風車とは、風車の回転軸の同心円上に、断面が流線形である航空機の羽根と同じ形状を有する羽根を複数枚取り付けた風車をいう。
風力発電装置１０ｂの基柱の最上部には、ジャイロミル型風車１７が設置されている。ジャイロミル型風車１７の下には、太陽光発電パネル１２ｂ、１２ｃが設置されている。また、太陽光発電パネル１２ｂ、１２ｃの下には、照明灯１４ｂが設置されている。風力発電装置１０ｂの基柱の下部には、鉛蓄電池ボックス１３ｂが設置されている。
【００２９】
ジャイロミル型風車１７は、風を受けると回転する風車を備えている。この風車は地面に垂直な軸を回転軸として回転できるようになっている。ジャイロミル型風車１７の羽根１５ｂに風が当たることにより、羽根１５ｂが回転軸の周りを回転する。ジャイロミル型風車１７は、羽根が回転する際に生じる運動エネルギを電気エネルギに変換することにより発電する。ジャイロミル型風車１７により得られる電力は、鉛蓄電池ボックス１３ｂへ送られる。なお、本実施形態では、ジャイロミル型風車１７の羽根が４枚取り付けられている場合について説明するが、２枚以上であれば何枚取り付けるようにしてもよい。
【００３０】
図６は、本実施形態によるジャイロミル型風車１７の羽根の部分の拡大図である。本実施形態によるジャイロミル型風車１７の羽根１５ｂの部分には、広告掲載領域１６ｂが確保されている。広告掲載領域１６ｂには、例えば、会社名、会社の商標、会社の広告等が掲載される。広告掲載領域１６ｂに掲載される広告としては、羽根の回転が静止している場合に人間が認識できるような文字や図等を記載するようにしても良いし、羽根が回転している場合に人間が広告を認識できるような模様等を記載するようにしてもよい。
【００３１】
図５に戻り、太陽光発電パネル１２ｂ、１２ｃは、太陽光を利用して発電を行う装置である。この太陽光発電パネル１２ｂ、１２ｃは、長方形で平板状の形状をしており、太陽光等の光が照射されると、光エネルギを電気エネルギへ変換することにより発電する。太陽光発電パネル１２ｂ、１２ｃによる発電は、風がなく風力発電装置１０ｂによる発電ができない場合に代用的に利用され、風が吹いていなくても日光があれば電力を得ることができる。太陽光発電パネル１２ｂ、１２ｃにより得られる電力は、鉛蓄電池ボックス１３ｂへ送られる。
【００３２】
鉛蓄電池ボックス１３ｂは、電力を蓄電する装置である。鉛蓄電池ボックス１３ｂは、ジャイロミル型風車１７と太陽光発電パネル１２ｂ、１２ｃから供給される電力を蓄電する。鉛蓄電池ボックス１２ｂ、１２ｃに蓄電されている電力は、照明灯１４ｂに供給される。照明灯１４ｂは、鉛蓄電池ボックス１３ｂから供給される電力を利用して照明を点灯する。
【００３３】
本実施形態による広告サービスシステムでは、ジャイロミル型風車１７の羽根の広告掲載領域１６ｂに社名等の広告を掲載するようにした。よって、広告掲載領域１６ｂに社名等を掲載する会社から広告料を徴収することにより、その広告料を鉛蓄電池ボックス１３ｂのメンテナンスや取り替えや、照明灯１４ｂの電球の取り替え等の費用として利用することによって、風力発電装置１０ｂが長期間メンテナンスが行われずに放置されることを防止することができる。
【００３４】
また、広告掲載領域１６ｂに掲載する広告の広告料を、鉛蓄電池ボックス１３ｂのメンテナンスや取り替え等に必要な費用とすることにより、風力発電装置１０ｂのランニングコストを抑えることができる。また、この風力発電装置１０ｂは、外部からの電力の供給が不用であり、商用電源を使用しなくてもよいため、導入を促進することによって、地球温暖化防止に寄与することができる。
【００３５】
上述した第１の実施形態（又は第２の実施形態）による風力発電装置１０ａ（風力発電装置１０ｂ）を利用すれば、風力により回転する風車の羽根の広告掲載領域１６ａ（又は広告掲載領域１６ｂ）に広告を掲載するようにしたので、風力発電装置１０ａ（風力発電装置１０ｂ）の近くを通行する通行者等の注意を喚起し易くすることができる。よって、広告を掲載する企業等の広告効果を高めることができる。また、エコロジ対策を推進する企業として企業イメージの向上を図ることができる。
【００３６】
また、上述した第１の実施形態（又は第２の実施形態）では、風力発電装置１０ａ（又は風力発電装置１０ｂ）に、サボニウス型風車１１（又はジャイロミル型風車１７）が１台設置されている場合について説明したが、このような構成に限定されるものではなく、２台以上設置するようにしてもよい。
【００３７】
また、上述した第１の実施形態（又は第２の実施形態）の説明では、風力発電装置１０ａ（又は風力発電装置１０ｂ）で、サボニウス型風車１１（又はジャイロミル型風車１７）及び太陽光発電パネル１２ａ（又は太陽光パネル１２ｂ、１２ｃ）を利用して電力を得る場合について説明したが、このような構成に限定されるものではない。例えば、太陽光発電パネル１２ａ（又は太陽光パネル１２ｂ、１２ｃ）を設置せずに、サボニウス型風車１１（又はジャイロミル型風車１７）だけを利用して電力を得るようにしてもよい。
【００３８】
また、上述した第１の実施形態（又は第２の実施形態）の説明では、サボニウス型風車１１（又はジャイロミル型風車１７）の羽根の片面に広告掲載領域１６ａ（又は広告掲載領域１６ｂ）を設けて、広告を掲載する場合について説明したが、このような構成に限定されるものではなく、広告掲載領域１６ａ（又は広告掲載領域１６ｂ）の両面に広告を掲載するようにしてもよい。
【００３９】
また、上述した第１の実施形態（又は第２の実施形態）の説明では、サボニウス型風車１１（又はジャイロミル型風車１７）の羽根の広告掲載領域１６ａ（又は広告掲載領域１６ｂ）にだけ広告を掲載する場合について説明したが、このような構成に限定されるものではなく、更に太陽光発電パネル１２ａ（又は太陽光発電パネル１２ｂ、１２ｃ）、鉛蓄電池ボックス１３ａ（又は鉛蓄電池ボックス１３ｂ）等に広告を掲載するようにしてもよい。
【００４０】
また、上述した第１の実施形態（又は第２の実施形態）の説明では、風力発電手段としてサボニウス型風車１１（又はジャイロミル型風車１７）を利用する場合について説明したが、これに限定されるものではなく、プロペラ型風車、多翼型風車等の他の種類の風車を利用してもよい。
【００４１】
また、上述した第１の実施形態（又は第２の実施形態）の説明では、蓄電手段として鉛蓄電池ボックス１３ａ（又は鉛蓄電池ボックス１３ｂ）に収納されている鉛蓄電池を利用する場合について説明したが、これに限定されるものではなく、リチウム（アルカリ）蓄電池等の他の蓄電池を利用してもよい。
【００４２】
また、上述した第１の実施形態（又は第２の実施形態）の説明では、太陽光発電パネル１２ａ（又は太陽光パネル１２ｂ、１２ｃ）及びサボニウス型風車１１（又はジャイロミル型風車１７）で発電した電力を鉛蓄電池ボックス１３ａ（又は鉛蓄電池ボックス１３ｂ）で蓄電し、その蓄電した電力を照明灯１４ａ（又は照明灯１４ｂ）へ供給する場合について説明したが、これに限定されるものではない。太陽光発電パネル１２ａ（又は太陽光発電パネル１２ｂ、１２ｃ）及びサボニウス型風車１１（又はジャイロミル型風車１７）で発電した電力を直接、照明灯１４ａ（又は照明灯１４ｂ）へ供給するようにしてもよい。
【００４３】
また、上述した第１の実施形態（又は第２の実施形態）の説明では、電力消費手段として照明灯１４ａ（又は照明灯１４ｂ）を利用する場合について説明したが、これに限定されるものではなく、ＬＥＤ（Light Emitting Diode）を利用した表示機器や、時計等の他の電力消費手段を利用してもよい。
【００４４】
以上、この発明の実施形態について図面を参照して詳述してきたが、具体的な構成はこの実施形態に限られるものではなく、この発明の要旨を逸脱しない範囲の設計等も含まれる。
【図面の簡単な説明】
【００４５】
【図１】本発明の第１の実施形態による広告サービスシステムの風力発電装置１０ａの構成を示す外観図である。
【図２】本実施形態によるサボニウス型風車１１の羽根の部分の拡大図である。
【図３】本実施形態による広告サービスシステムのコンピュータ３と、風力発電装置１０ａに設置される制御装置２の構成を示すブロック図である。
【図４】本実施形態による広告サービスシステムによる処理の流れを示すシーケンス図である。
【図５】本発明の第２の実施形態による広告サービスシステムの風力発電装置１０ｂの構成を示す外観図である。
【図６】本実施形態によるジャイロミル型風車１７の羽根の部分の拡大図である。
【符号の説明】
【００４６】
２・・・制御装置、３・・・コンピュータ、１０ａ、１０ｂ・・・風力発電装置、１１・・・サボニウス型風車、１２ａ、１２ｂ、１２ｃ・・・太陽光発電パネル、１３ａ、１３ｂ・・・鉛蓄電池ボックス、１４ａ、１４ｂ・・・照明灯、１５・・・羽根、１６ａ、１６ｂ・・・広告掲載領域、１７・・・ジャイロミル型風車、２１・・・判定手段、２２・・・識別情報記憶手段、２３・・・送信手段、３１・・・入力手段、３２・・・記憶手段、３３・・・受信手段、３４・・・判定手段、３５・・・通知手段
【図１】
2006349806.tif 000003
【図２】
2006349806.tif 000004
【図３】
2006349806.tif 000005
【図４】
2006349806.tif 000006
【図５】
2006349806.tif 000007
【図６】
2006349806.tif 000008